(57)【要約】【課題】トレッド成形面の形成が容易でかつ安価に製作でき、トレッド成形面の形状精度を高精度に安定して維持できるタイヤトレッド面成形金型を提供する。【解決手段】タイヤＴのトレッド面Ｔｒを成形するため円周方向に所定数に分割された分割体１６の各々を、所定円弧長を有する金型部と、この金型部を固定保持する保持部材１８とで構成する。金型部は、多数の薄板部材１７をタイヤＴの円周方向或いは幅方向に積層した状態で保持部材１８に固定される。薄板部材１７は、金属薄板材料から切り出し、トレッド面をスライスしたスライス要素ＳＬの形状を演算により求め、この形状データに基づいて、各々がトレッド成形面の一部を構成するように数値制御加工される。これにより、内周面面にトレッド成形面が形成された積層金型が製造される。【選択図】  図１
2004338182.tif 000002
【特許請求の範囲】
【請求項１】
タイヤトレッド面のクラウンを成形する金型であって、前記タイヤトレッド面を外方から取り囲むため円周方向に所定数に分割された分割体の各々が所定円周長さの弧状をなす複数個の金型部とこの金型部をそれぞれ保持する複数個の保持部材からなり、前記金型部の各々は多数枚の薄板部材を積層して構成され、前記保持部材の各々は対応する前記金型部を構成する前記多数枚の薄板部材を積層状態で固定保持する固定手段を備え、この固定手段により積層状態で固定保持された前記多数枚の薄板部材の内周面にはタイヤのトレッド面に成形すべきトレッドパターンに対応する形状が形成されていることを特徴とするタイヤトレッド面成形金型。
【請求項２】
請求項１に記載のタイヤトレッド面成形金型において、前記金型部を構成する多数枚の薄板部材は前記タイヤトレッド面の幅方向長さをカバーして前記タイヤの円周方向に積層されていることを特徴とするタイヤトレッド面成形金型。
【請求項３】
請求項２に記載のタイヤトレッド面成形金型において、タイヤの円周方向に積層された前記多数枚の薄板部材の各端部の１枚或いは数枚の薄板部材は、前記固定手段により前記保持部材に固定された隣接する１枚或いは数枚の薄板部材に固着されることにより前記保持部材に間接的に固着されていることを特徴とするタイヤトレッド面成形金型。
【請求項４】
請求項２に記載のタイヤトレッド面成形金型において、タイヤの円周方向に積層された前記多数枚の薄板部材の各端部の１枚或いは数枚の薄板部材は、他の薄板部材よりも肉厚が厚く形成され、これにより前記各端部の１枚或いは数枚の薄板部材が前記固定手段により前記保持部材に直接固定されることを特徴とするタイヤトレッド面成形金型。
【請求項５】
請求項１に記載のタイヤトレッド面形成金型において、前記金型部を構成する前記多数枚の薄板部材は前記所定円周長さを有してタイヤの幅方向に積層されていることを特徴とするタイヤトレッド面成形金型。
【請求項６】
請求項５に記載のタイヤトレッド面成形金型において、タイヤの幅方向に積層された前記多数枚の薄板部材の各端部の薄板部材は、他の薄板部材よりも肉厚が厚く形成されていることを特徴とするタイヤトレッド面成形金型。
【請求項７】
請求項１〜６の何れかに記載のタイヤトレッド面形成金型において、前記多数枚の薄板部材の少なくともいくつかの片面には、気体を通す程度の細いガス抜き用の溝が形成されていることを特徴とするタイヤトレッド面成形金型。
【請求項８】
請求項１〜７の何れかに記載のタイヤトレッド面形成金型において、前記保持手段及び固定手段は前記積層された薄板部材のタイヤの幅方向における両端部の径方向内方部を開放し、これら径方向内方部にはタイヤのサイドウォール面を形成するサイド金型が当接されることを特徴とするタイヤトレッド面成形金型。
【請求項９】
タイヤトレッド面のクラウンを成形するため円周方向に所定数に分割された分割金型を製造するタイヤトレッド面成形金型の製造方法であって、金属薄板部材を切り出し、所定形状にカットし、それら厚さの薄い金属薄板部材を多数枚積層した状態で保持部材に固定保持して前記分割金型を製造することを特徴とするタイヤトレッド面成形金型の製造方法。
【請求項１０】
請求項９に記載のタイヤトレッド面成形金型の製造方法において、所定形状にカットされた厚さの薄い前記金属薄板部材を成形すべきタイヤの円周方向に積層した状態で前記保持部材に固定保持して前記分割金型を構成することを特徴とするタイヤトレッド面成形金型の製造方法。
【請求項１１】
請求項１０に記載のタイヤトレッド面成形金型の製造方法において、前記分割金型を成形すべきタイヤの円周方向に所定間隔で幅方向にスライスした複数のスライス要素の形状を演算により求め、前記薄板部材をこれら複数のスライス要素とそれぞれ対応する形状に数値制御加工機を用いて加工することを特徴とするタイヤトレッド面成形金型の製造方法。
【請求項１２】
請求項９に記載のタイヤトレッド面成形金型の製造方法において、所定形状にカットされた厚さの薄い前記金属薄板部材を成形すべきタイヤの幅方向に積層した状態で前記保持部材に固定保持して前記分割金型を構成することを特徴とするタイヤトレッド面成形金型の製造方法。
【請求項１３】
請求項１２に記載のタイヤトレッド面成形金型の製造方法において、前記分割金型を成形すべきタイヤの幅方向に所定間隔で円周方向にスライスした複数のスライス要素の形状を演算により求め、前記薄板部材をこれら複数のスライス要素とそれぞれ対応する形状に数値制御加工機を用いて加工することを特徴とするタイヤトレッド面成形金型の製造方法。
【発明の詳細な説明】
【０００１】
【発明が属する技術分野】
本発明は、薄板部材の積層体の内面に形成したトレッド成形面によりタイヤのトレッド面を成形するタイヤ成形金型及びその製造方法に関するものである。
【０００２】
【従来の技術】
ゴムタイヤの製造においては、加硫成形工程では、グリーンタイヤを成形金型内に収納して行われる。このようなタイヤ成形金型は、これまでは、タイヤを円周上で例えば８分割或いは１０分割した分割型の１つについて、設計されたトレッドパターンに基づき金型模型を製作し、その模型を石膏で型取りする。その石膏に金型材となる金属を流し込んで成形金型を製作し、角やその他の細部に修正を行い、分割型の１つが完成する。このような分割型を８個或いは１０個作成することにより、タイヤ１本分の金型が完成する。
【０００３】
また、多数の薄板をタイヤの円周方向に積層してタイヤ成形金型を製造する方法が特許第３２４１８６７号公報に記載されている。多数の薄板は、そり変形を有し、隣接する２枚の薄板同士がそり方向を逆にした状態で配置され、円周方向に挿通するベルトに遊嵌して保持される。金型の型締めは、タガの円錐面が円周方向に積層保持した多数の薄板のテーパ状のショルダ部に当接し、多数の薄板のそり変形をなくして隣接する薄板同士を密着させることにより、多数の薄板の内周面で構成される金型内面を縮径した状態でタイヤの成形を行う。金型の型開きは、多数の薄板のショルダ部からタガを外すことにより、多数の薄板のそり変形が弾性により戻り、これにより金型内面が拡径し、タイヤのトレッド面から金型内面を抜くことができる。
【０００４】
【特許文献１】特許第３２４１８６７号公報
【０００５】
【発明が解決しようとする課題】
然しながら、石膏型への流し込み方式による金型及びその製造方法においては、型模型の製作や石膏型の製作など最終目的物である金型以外の物の製作が必要で、溶湯や鋳込みのための設備も必要とし、製造工程の工程数が多く手間が掛かり、金型の製造所要時間が長く、製造コストが高くなる等の種々の問題がある。また、金型に形成されるスピュー穴と呼ばれるガス抜き穴は、ドリル加工の制約から穴径を小さくすることに限界があり、このため加硫成形時にこのスピュー穴にタイヤのゴムが侵入し、スピュー穴の定期的な清掃が必要となり、また加硫成形されたタイヤからスピュー穴に侵入した突起を除去するなどの手間の掛かる仕上げ工程を必要としていた。
【０００６】
また、上述した薄板積層方式による金型及びその製造方法においては、上述した伝統的な金型及びその製造方法の幾多の問題を解消できる利点があるが、次のような問題点を付随している。すなわち、多数の薄板はベルトに保持されているが、薄板間の相対位置は変動が可能であり、特に型締めのための縮径時と型開きのための拡径時との間の金型内径の径変化を利用しているため、薄板の相対位置が不安定である。換言すれば、型締め縮径時における各薄板の固定位置の再現が不安定であり、このため、生産されるタイヤのトレッドパターンが不正確になる。また、そり変形を有する薄板を利用して型抜きを行うように設計されているため、薄板の積層配置は円周方向のみに限定される。さらに、薄板間の隙間からガス抜きを行わせるため、型締め時における薄板間の締めの程度、つまりそり変形の解消具合がガス抜き通路の形成に微妙に影響する。このため、締め付け過ぎの場合にはガス抜き通路が形成されないことになり、成形されるタイヤに悪影響を与える。逆に締め付け過小の場合は、微小厚さの広幅のガス抜き通路が形成され、成形タイヤの外周からは微小厚さの広幅の突起が突出し、タイヤ成形後の最終仕上げに手間がかかることになる。
【０００７】
従って、本発明は、伝統的な石膏型への流し込み方式による金型及びその製造方法が持つ欠点を解消でき、かつ上述した薄板積層方式による金型及びその製造方法に伴う問題点を解消することを目的とする。
【０００８】
本発明の別の目的は、生産されるタイヤのトレッドパターンを正確にでき、製造品質を安定させることができる薄板積層方式による金型及びその製造方法を提供することにある。
【０００９】
本発明のさらに別の目的は、薄板の枚数を減少でき、これにより薄板加工時間及びコストを削減できる薄板積層方式による金型及びその製造方法を提供することにある。
【００１０】
本発明のさらに別の目的は、成形時におけるガス抜き用のスピュー穴機能の成形が容易で、スピュー穴に入り込んだゴムが成形後のタイヤの表面に突起物として残存することが殆どなく、タイヤの仕上げが簡単となる薄板積層方式による金型及びその製造方法を提供することにある。
【００１１】
【課題を解決するための手段と作用及び発明の効果】
上述した課題及び目的は、本発明による下記のように構成される解決手段により解決され達成される。
【００１２】
すなわち、請求項１に記載の発明は、タイヤトレッド面のクラウンを成形する金型であって、前記タイヤトレッド面を外方から取り囲むため円周方向に所定数に分割された分割体の各々が所定円周長さの弧状をなす複数個の金型部とこの金型部をそれぞれ保持する複数個の保持部材からなり、前記金型部の各々は多数枚の薄板部材を積層して構成され、前記保持部材の各々は対応する前記金型部を構成する前記多数枚の薄板部材を積層状態で固定保持する固定手段を備え、この固定手段により積層状態で固定保持された前記多数枚の薄板部材の内周面にタイヤのトレッド面に成形すべきトレッドパターンに対応する形状が形成されていることを特徴とする。
【００１３】
この構成によれば、多数枚の薄板部材の積層体からなる金型部は、保持部材に固定保持されおり、この積層体の内周面が成形するトレッドパターンの形状は常に一定で不変に維持される。このため、タイヤの加硫成形動作時に薄板部材の積層体がタイヤのトレッド部に成形するトレッド形状は、繰り返し実行される加硫成形動作のそれぞれにおいて不変に維持され、その結果、加硫成形されるタイヤの品質が向上されると共に安定される。
【００１４】
また、請求項２に記載の発明は、請求項１に記載のものにおいて、前記金型部を構成する多数枚の薄板部材をタイヤトレッド面の幅方向長さをカバーしてタイヤの円周方向に積層したことを特徴とする。
【００１５】
この構成によれば、各分割金型を構成する多数の薄板部材が成形すべきタイヤの円周方向に積層されて積層体を構成し、この積層体の円周方向の両端部は、これら両端部を形成する薄板部材の表裏面にて形成される。このため、タイヤの加硫成形動作時に隣接する２つの分割金型が当接係合されるとき、隣接する２つの分割金型の一方の円周方向の最外端に配置される薄板部材の円滑な表面と他方の円周方向の最外端に配置される対向する薄板部材の円滑な表面とが密着される。このため、隣接される２つの分割金型の接合部が滑らかとなり、成形タイヤのこの隣接部に対応する部分に異常な形状が形成されることを防止できる。
【００１６】
また、請求項３に記載の発明は、請求項２に記載のものにおいて、タイヤの円周方向に積層された多数枚の薄板部材の各端部の１枚或いは数枚の薄板部材を、固定手段により保持部材に固定された隣接する１枚或いは数枚の薄板部材に固着することにより前記保持部材に間接的に固着するようにしたことを特徴とする。
【００１７】
この構成によれば、積層体の円周方向の各端部に配置される１枚或いは数枚の薄板部材は、積層体の対応する端部近辺に配置されかつ保持部材に固定保持された１枚或いは数枚の薄板部材に固定され、保持部材に間接的に固定される。このため、保持部材に直接固定できない両端部の薄板部材を保持部材の円周方向両端面から若干突出させた状態で積層体の一部として強固に保持部材に保持することができる。これにより、前記積層体を構成する薄板部材を全て均一の薄板材で形成することができる。
【００１８】
また、請求項４に記載の発明は、請求項２に記載のものにおいて、成形すべきタイヤの円周方向に積層された多数枚の薄板部材の各端部の１枚或いは数枚の薄板部材を他の薄板部材よりも肉厚が厚く形成し、これにより前記各端部の１枚或いは数枚の薄板部材を固定手段により保持部材に直接固定することを特徴とする。
【００１９】
この構成によれば、積層体の円周方向の最外端に配置される薄板部材の厚さが他の薄板部材よりも厚くされ、これら最外端の薄板部材も含めて全ての薄板部材が保持部材に直接固定される。これにより、積層体は全体として強固に保持され、両端の薄板部材をこれら近辺に配置される薄板部材に固着するための手段が不要となり、構造を簡単にすることができる。
【００２０】
さらに、請求項５に記載の発明は、請求項１に記載のものにおいて、前記金型部を構成する多数枚の薄板部材を所定円周長さのものとし、前記タイヤの幅方向に積層したことを特徴とする。
【００２１】
この構成によれば、積層体を構成する多数枚の薄板部材を円周方向に長いものとして成形すべきタイヤの幅方向に積層したので、分割金型を構成する薄板部材の枚数を削減することができ、この薄板部材の加工コストを下げることができる。
【００２２】
請求項６に記載の発明は、請求項５に記載のものにおいて、成形すべきタイヤの幅方向に積層された多数枚の薄板部材の各端部の薄板部材を、他の薄板部材の肉厚よりも厚く形成したことを特徴とする。
【００２３】
この構成によれば、積層体の幅方向の両端部の薄板部材の肉厚を厚くしてこれら両端部の薄板部材の剛性が強化される。このため、タイヤの加硫成形動作時において加圧膨張されるタイヤにより積層体が幅方向に拡張変形されることが防止され、成形されるタイヤの加硫成形精度を高精度に維持できる。
【００２４】
さらに、請求項７に記載の発明は、請求項１〜６の何れかに記載のものにおいて、多数枚の薄板部材の少なくともいくつかの片面には、気体を通す程度に細いガス抜き用の溝を形成したことを特徴とする。
この構成によれば、薄板部材の表面にガス抜き用の溝が形成される。この溝の形成部位は、薄板部材の表面であるので、加工が容易であり、気体を通す程度の細い溝を容易に形成できる。この溝は気体を通す程度の細いものであるので、タイヤの加硫成形時に流動するゴムがこの溝に入り込むことが防止される。これにより、加硫成形後のタイヤ表面には、従来のようにスピュー穴に侵入したゴム突起がタイヤ表面に突出することが防止され、加硫成形後のタイヤの仕上げ工程が簡略化される利点が奏せられる。
【００２５】
請求項８に記載の発明は、請求項１〜７の何れかに記載のものにおいて、積層体を保持及び固定する保持部材及び固定手段が積層された薄板部材のタイヤの幅方向における両端部の径方向内方部を開放し、これら径方向内方部にはタイヤのサイドウォール面を形成するサイド金型が当接されるようにしたことを特徴とする。
【００２６】
この構成によれば、円周方向に分割された分割金型の円周方向の接合部は各分割金型の積層体の円周方向端面が密着して閉鎖され、かつ積層体の幅方向の両端面はサイド金型の内側外周縁部が密着して閉鎖される。このため、分割金型と両サイド金型が密着して形成される金型の内部空間は密閉され、内部空間内の温度が分割金型間の接合部及びサイド金型との接合部を通って金型の外部へ放散されことが防止され、金型内部空間の温度を所定の温度に均一に維持できる。この結果、成形後のタイヤの部位に加硫温度の不均一さに起因する不具合が生じることが防止され、成形されるタイヤの品質が向上される。
【００２７】
請求項９の発明は、タイヤトレッド面のクラウンを成形するため円周方向に所定数に分割された分割金型を製造するタイヤトレッド面成形金型の製造方法であって、金属薄板部材を切り出し、所定形状にカットし、それら厚さの薄い金属薄板部材を多数枚積層した状態で保持部材に固定保持して、前記分割金型を製造することを特徴とする。
【００２８】
この構成によれば、多数枚の金属薄板部材を加工して積層体を構成する部材が形成され、これら薄板部材を積層状態で保持部材に固定して分割金型が製造される。分割金型を構成する積層体は薄板部材で形成され、この薄板部材の加工は小さな加工負荷に耐えうる加工機により容易かつ高精度に加工することができる。このため、分割金型の加工コストが低減され安価で高精度な分割金型を製造することが可能となる。しかも、積層体を構成する薄板部材は保持部材に強固に保持されるので、積層体の内面に形成されるトレッドパターン成形面は常に強固に安定しており、これにより加硫成形されたタイヤのトレッド面の品質も向上される。
【００２９】
請求項１０に記載の発明は、請求項９に記載のものにおいて、所定形状にカットされた厚さの薄い金属薄板部材を成形すべきタイヤの円周方向に積層した状態で保持部材に固定保持して分割金型を構成することを特徴とする。
この構成によれば、上述した請求項２の発明と同様の作用と効果が実現される。
【００３０】
また、請求項１１に記載の発明は、請求項１０に記載の製造方法において、分割金型を成形すべきタイヤの円周方向に所定間隔で幅方向にスライスした多数のスライス要素の形状を演算により求め、薄板部材をこれら複数のスライス要素と対応する形状に数値制御加工機を用いて加工することを特徴とする。
【００３１】
この構成によれば、積層体はタイヤの円周方向に所定間隔で幅方向にスライスした多数のスライス要素として定義され、これらスライス要素の形状が演算により求められ、この演算データを利用して薄板部材が数値制御加工機により加工される。スライス要素の肉厚は、薄板部材と対応されるので、軽加工負荷の状態で薄板部材を高精度に加工でき、よってこれら高精度加工された薄板部材を積層した積層体はその内面に高精度なトレッドパターン成形面が形成される。これにより、この積層体の内面が転写される成形タイヤのトレッド面は高精度に成形される。
【００３２】
請求項１２に記載の発明は、請求項９に記載の製造方法において、所定形状にカットされた厚さの薄い金属薄板部材を成形すべきタイヤの幅方向に積層した状態で保持部材に固定保持して分割金型を製造することを特徴とする。
この構成によれば、上述した請求項５の発明と同様の作用と効果が達成される。
【００３３】
さらに、請求項１３に記載の発明は、請求項１２に記載の製造方法において、分割金型を成形すべきタイヤの幅方向に所定間隔で円周方向にスライスした複数のスライス要素の形状を演算により求め、薄板部材をこれら複数のスライス要素と対応する形状に数値制御加工機を用いて加工することを特徴とする。
この構成によれば、請求項５の発明と同様の作用と効果が得られる他に、請求項１１の発明と同様の作用と効果が実現される。
【００３４】
【発明の実施の形態】
以下、ゴム物品補強用に使用される本発明によるタイヤトレッド面成形金型及び同金型の製造方法の実施の形態について図面を参照して説明する。図１は、第１実施形態における金型を組み込んだ加硫機の要部縦断面図であり、図２は、加硫機内に組み込まれた金型の要部側面図である。図１及び図２において、１１Ｌ、１１Ｒは、加硫機１０の左側ケース及び図示鎖線で示す後退位置へ復帰される可動の右側ケースを示す。サイド金型１２は、左右に２分割され、その左サイドウォール金型１２Ｌは、その中心部に配置した図略の金型支持機構により図示左右方向に進退可能である。同様に、右サイドウォール金型１２Ｒは、その中心部に配置した図略の金型支持機構により図示左右方向に進退可能である。これら左右サイドウォール金型１２Ｌ、１２Ｒの内側面は、加硫機１０内に収納したグリーンタイヤＴの対応するサイドウォール部を成形すべく形成されている。
【００３５】
タイヤトレッド面Ｔｒを成形するクラウン金型１５がタイヤＴの外周面を包囲している。クラウン金型１５は、円周方向に例えば８ブロックの分割体１６で構成され、これら分割体１６の各々は、内方端縁が成形すべきタイヤＴのトレッド面Ｔｒの幅方向断面と補合形状をなす多数枚の薄板部材１７をタイヤＴの円周方向に積層した状態で固定保持する保持部材１８からなる。これら保持部材１８は、それぞれ対応するスライド部材１９の内周面に交換のための着脱可能に固定されている。右側ケース１１Ｒには、各分割体１６を放射方向に案内する一対のガイドレール２０が８対取り付けられている。
【００３６】
図２に示すように、各スライド部材１９は、対応する一対のガイドレール２０に沿って往復移動する一対のベアリングブロック２１上に固定され、このベアリングブロック２１と共にタイヤの径方向に進退できるように摺動自在に案内されている。各スライド部材１９は、ピン２５を介してリンク２６の一端に枢着され、リンク２６の他端は、タイヤＴの幅方向に進退運動するように右側ケース１１Ｒに水平配置されたシリンダ装置２７のピストンロッド２８の先端にピン２９を介して枢着されている。従って、シリンダ装置２７の動作により、分割体１６の各々は放射方向に進退でき、図２の左半分に示す２つの分割体１６のように、各分割体１６を径方向外方に後退した型開き位置と、右半分に示す２つの分割体１６のように、各分割体１６を径方向内方に前進した型閉め位置とに選択的に位置決め可能である。
【００３７】
図３及び図４は、分割体１６の詳細を示す断面図及び斜視図である。各分割体１６は、板厚が０．５〜５ｍｍ程度の薄板部材１７を円周方向に積層し、その積層体の円周方向長さは、成形すべきタイヤの外周を例えば８分割した各分割部の円周方向長さと一致している。各薄板部材１７の外周端部は、裁頭三角形状をなし、幅方向中央に平坦部が形成され、この平坦部の両側肩部に斜面が形成されている。各薄板部材１７の両側端部は、突出部１７ａが突設され、これら突出部１７ａの内方部にテーパ部１７ｂが形成されている。薄板部材１７の積層体を保持する保持部材１８は、左側部分の一部を除いて、薄板部材１７の外周部及び両側部と補合する内周面が形成され、これら薄板部材１７の外周部及び両側部を受容している。保持部材１８の左側部の外周部近辺には、前記テーパ部１７ｂと協働する別のテーパ部１８ｂが形成され、本発明における固定手段としての固定板１８ａが内外周部近辺に形成された一対の内側テーパ部を前記テーパ部１７ｂ、１８ｂに係合させた状態で、ボルト１８ｃにより固定されている。これにより、後述するように円周方向の各端部に配置される１枚或いは数枚の薄板部材を除いて、薄板部材１７の各々は、ボルト１８ｃの螺子込み動作に伴って、一対のテーパ部１７ｂ及びテーパ部１８ｂが協働する共締め作用により、保持部材１８の内周面に押し付けられながら固定板１８ａにより保持部材１８に一体的に固定できる構成となっている。
【００３８】
また、保持部材１８の右側面内方部及び固定板１８の左側面内方部には、当接面１８ｅ、１８ｅが形成され、加硫成形時に型閉め位置へ前進する左右サイドウォール金型１２Ｌ、１２Ｒの外周内端縁部とそれぞれ当接し、各分割体１６と左右サイドウォール金型１２Ｌ、１２Ｒとの相対位置を位置決め可能としている。さらに、左右サイドウォール金型１２Ｌ、１２Ｒの内端面の一部は、多数の薄板部材１７が構成する積層体の幅方向両端の内方縁部と円周上で密着され、金型空間内を外部に対し密閉し、室内温度の型外への放散を防止するようにしている。なお、図中２２は、分割体１６をスライド体１９の内周面に対し交換のために取り外し可能に装着するボルトを示す。
【００３９】
薄板部材１７の積層体と保持部材１８及び固定板１８ａとの円周方向の長さ関係について説明すると、これら薄板部材１７の積層体、保持部材１８及び固定板１８ａは、図４に示すように、積層体の内周面を成形すべきタイヤの外周面と補合させるように、円弧状に伸長されている。積層体は、成形すべきタイヤの円周を例えば８分割した広がり角度をもつ円弧長とされ、これに対し、保持部材１８及び固定板１８ａは円弧長方向の各端部が積層体の端部よりも１ｍｍ程度或いは薄板部材１７の１枚分程度短くされ、積層体の端部より円弧長方向内方に引っ込むような円弧長とされている。保持部材１８及び固定板１８ａは略同一円弧長として形成されており、これにより、円弧長方向の各端部においては、最外端に配置された薄板部材１７の外端面に対し、保持部材１８及び固定板１８ａの外端面は、長さｔだけ後退している。
【００４０】
積層体の円弧長方向両端部における１枚或いは数枚を除く薄板部材１７の大部分は、前述したように、ボルト１８ｃにより螺子込み固定される固定板１８ａにより保持部材１８に固定保持されている。これに対し、円弧長方向両端部における１枚或いは数枚の薄板部材１７は、例えば４本の頭付子螺子１７ｓを挿通し、これら螺子１７ｓを図５に示すように固定板１８ａにより保持部材１８固定されている隣接する１枚或いは数枚の薄板部材１７に螺子込むことにより、これら隣接する薄板部材１７と一体とされ、これら隣接する薄板部材１７を介して間接的に保持部材１８に固着されている。各分割体１６の円弧長方向の各端面と隣接する各分割体１６の薄板部材１７積層体の端面には、前記頭付子螺子１７ｓの各々と対向する部位に円穴１７ｈが穿設され、これら円穴１７ｈに隣接する分割体１６の積層体端面から突出する螺子１７ｓの頭部を収容するようにしている。これにより、分割体１６の型閉め状態においては、図５に示すように、隣接する一方の積層体の端面から突出する子螺子１７ｓが他方の積層体に形成した円穴１７ｈ内へ収容され、一方の積層体の端面と他方の積層体の端面とが密着できるようになっている。なお、スライド部材１９の円弧長は、保持体１８と同長かそれよりも若干短くしてある。
【００４１】
さらに、各薄板部材１７の円周方向の一方の端面には、内端縁部から外端縁部につらなる複数本（図例では３本）のガス抜き用の溝１７ｇが形成されている。この溝１７ｇの幅及び深さは気体を通過する程度の数ミクロンメートルのものとされ、後述するようにレーザ加工機により形成される。これらガス抜き用の溝１７ｇは、図３に示すように、保持体１８の内面の幅方向中央に形成したヌスミ空間１８ｎ及び排気穴１８ｍと連通し、さらにスライド部材１９の内面の幅方向中央に形成したヌスミ空間１９ｎ及び排気穴１９ｍを介してスライド部材１９の外周面側の大気に通じている。これにより、加硫成形時に金型内に発生するガスを金型外へ排気するようにしている。
【００４２】
次に、上記のように構成された第１実施形態の動作を説明する。加硫成形動作前の原位置状態においては、左右サイドウォール金型１２Ｌ、１２Ｒは、図１にそれぞれ２点鎖線で示す後退位置に復帰しており、分割体１６は、シリンダ装置２７が図１で右方に後退した後退端に位置して、図２の左半部に示すように、型開き位置に復帰している。また、右側ケース１１Ｒは、２点鎖線で示す後退位置に復帰し、分割体１６を図１において実線で示す加硫位置から大きく後退させ、図１の紙面に垂直方向手前側の搬入領域を大きく開いており、この搬入領域から適宜搬入・搬出装置により未加硫タイヤ（グリーンタイヤ）Ｔの搬入を可能としている。
【００４３】
このような原位置状態において、加硫動作指令が与えられると、未加硫タイヤＴが搬入・搬出装置のタイヤ保持ヘッドにより外周を保持されて加硫位置へ搬入され、図略の軸心装置のブラダＢＬが前進しスチームの供給を受けて一次膨張し、未加硫タイヤＴを内周面側から仮受けする。これにより、続いて搬入・搬出装置のタイヤ保持ヘッドが未加硫タイヤＴを釈放して加硫機１０外へ退去する状態においても、未加硫タイヤＴは加硫機１０の軸心と同心に仮受けされた状態となる。
【００４４】
搬入・搬出装置の保持ヘッドの退去に続いて、右側ケース１１Ｒは、２点鎖線で示す後退位置から左方へ前進し、分割体１６を径方向外方の後退位置へ保持したまま加硫位置に整列させる。その後、左右サイドウォール金型１２Ｌ、１２Ｒが型閉め位置の直前位置に前進して停止すると、分割体１６と対をなすシリンダ装置２７が前進動作し、各分割体１６を一対のガイドレール２０に沿って径方向内方へ前進し、薄板部材１７の積層体で形成する分割金型を未加硫タイヤＴの外周面と対向させる図１実線の型閉め位置直前で停止する。この後、左右サイドウォール金型１２Ｌ、１２Ｒが図１実線の型閉め位置へ最終前進し、続いて、各分割体１６が型閉め位置まで最終前進し、図３に示すように、内側外周縁部を各分割体１６の保持部材１８の両側面の径方向内方に形成した当接部１８ｅ、１８ｅに当接し、分割体１６と左右のサイドウォール金型１２Ｌ、１２Ｒが組み合わされて内方に加硫空間を形成する組み合わせ金型が完成する。これと同時に、薄板部材１７の積層体の内方縁部に左右のサイドウォール金型１２Ｌ、１２Ｒの内側端部が円周上で密着され、金型内の加硫空間が密閉され、加硫空間から外部への温度の放散を防止する。これにより、加硫空間内の温度は均一に保たれる。また、この場合、隣接する分割体１６間においては、一方の積層体の各端面部の薄板部材１７を固定する子螺子１７ｓの頭部が隣接する他の積層体の円穴１７ｈに収容され、隣接する分割体１６の積層体の端面同士は図５に示すように密着される。
【００４５】
このようにして組み合わせ金型が完成すると、未加硫タイヤＴ内で一次膨張されているブラダＢＬ内にスチームがさらに追加供給されてブラダＢＬがさらに膨張され、未加硫タイヤＴの外周クラウン部は例えば８つの分割体１６で構成されるクラウン金型の内周面に押し付けられ、クラウン金型の内周面に形成されるトレッドパターンが転写される。また、未加硫タイヤＴの左右のサイドウォール部は、左右のサイドウォール金型１２Ｌ、１２Ｒの内周面に押し付けられ、これら内周面の形状が転写される。このような加硫状態が例えば１０数分程度維持され、加硫処理が行われる。この加硫初期及び加硫処理の間、タイヤＴの外周面とクラウン金型の内周面間に残されたガス及び発生するガスは、薄板部材１７に形成したガス抜き用の溝１７ｇを通って、保持体１８の内面の幅方向中央に形成したヌスミ空間１８ｎ及び排気穴１８ｍから排出され、さらにスライド部材１９の内面の幅方向中央に形成したヌスミ空間１９ｎ及び排気穴１９ｍを介してスライド部材１９の外周面側の大気へ排出される。これにより、加硫成形時に残留したガス及び金型内に発生するガスが金型外へ排気される。
【００４６】
所定の加硫時間が経過した後、ブラダＢＬへの供給圧が若干減圧され、この状態でシリンダ装置２７が後退動作して分割体１６が径方向外方に後退端まで後退され、その後、左右のサイドウォール金型１２Ｌ、１２Ｒが後退される。クラウン金型、つまり分割体１６がタイヤから完全に離間された後、ブラダＢＬ内の圧力が排出され、ブラダＢＬは収縮される。左右のサイドウォール金型１２Ｌ、１２Ｒは、図１の鎖線位置まで後退して停止し、これと並行して右側ケース１１Ｒが図１の鎖線位置まで退去し、搬入・搬出装置が加硫済みタイヤＴを搬出し、次の未加入タイヤＴを搬入できるようになる。
【００４７】
図６は、薄板部材１７にて構成される積層体としての金型部を製造する製造方法を説明するための図である。金型部を構成する薄板部材１７は、鉄板或いはスチール板のコイル巻き１００を材料とし、図略のアンコイラにて平板に延ばした後、薄板材料１７の最終形状より若干大きめの長方形寸法に裁断され、薄板材料片１０１に形成される。この薄板材料片１０１は、次に表裏面がテーパ形状に成形され、テーパ付薄板材料片１０２が製作される。このテーパ角度θは、例えば、Ｎ枚の薄板部材１７により成形すべきタイヤのクラウン部全周を成形する場合、２πラジャン（３６０°）を前記枚数Ｎで除算した角度とする。このテーパ成形は、例えば、精密冷間圧延処理において対向する２つの圧延ローラ間に薄板材料片１０１を通過させるか、或いは所定のテーパ形状に成形した２つの回転する正面砥石の間に薄板材料片１０１を通過させるなどの方法により実施される。
【００４８】
一方、上記テーパ付薄板材料片１０２の製作と並行して、数値制御加工のためのＮＣプログラムの作成が行われる。すなわち、成形すべきトレッドパターンＴｐをもつタイヤのトレッド面を円周方向厚さｄの間隔でタイヤの幅方向にスライスする多数のスライス要素ＳＬのプロファイルＰｆ１、Ｐｆ２、Ｐｆ３、・・・・ＰｆＮをＣＡＤ装置（コンピュータ支援設計装置）により設計する。各スライス要素ＳＬは、タイヤの円周方向厚さｄの両端の各断面におけるタイヤの径方向座標Ｙと幅方向座標Ｘとの２次元座標系での輪郭データにより定義される。このＣＡＤデータは、ＣＡＭ装置（コンピュータ支援加工プログラム生成装置）に投入されてＮＣデータとして作成され、ＣＮＣ装置（コンピュータ数値制御装置）に入力され、内部記憶される。これにより、タイヤの円周方向に配列される薄板部材１７の枚数Ｎ分のＮＣデータが作成され、ＣＮＣ装置に投与される。尤も、タイヤのトレッドパターンが、所定円弧角度幅のパターンが何度も繰り返す繰り返しパターンの場合では、１つの所定円弧角度幅のパターンを各スライス要素ＳＬの円周方向厚さｄにて除算した数のＮＣデータが作成される。
【００４９】
前記ＣＮＣ装置は、前記ＮＣデータに基づいて、レーザ加工機１１０を制御するようにこのレーザ加工機１１０に付属される。このレーザ加工機は、公知のもので、操作筒１１１をＸ、Ｙ及びＺ軸からなる直角座標空間に移動でき、また操作筒１１１をその軸線周りのＡ軸上で回転でき、さらに操作筒１１１の先端に設けたヘッド１１２に対しＡ軸と直交するＢ軸周りにレーザトーチ１１３を揺動可能に支持した５軸制御構成を採用している。そして、レーザ発振器１１４から発振したレーザビームを操作筒１１１、ヘッド１１２を通過させてレーザトーチ１１３に導入し、トーチの１１３の先端からレーザビームを照射して金型片を構成するテーパ付薄板材料片１０２をレーザ加工し、各スライス要素ＳＬのＸ−Ｙ平面上での輪郭及び厚さｄ方向の輪郭を成形するように構成されている。
【００５０】
すなわち、テーパ付薄板材料片１０２の各々は、それらが割り当てされたスライス要素ＳＬのＸ、Ｙ及びＺ軸方向の３次元形状を定義するＮＣデータに基づいてレーザ加工機１１０により順次加工される。この場合、各テーパ付薄板材料片１０２のタイヤのクラウン部を成形する内端面の加工においては、トーチ１１３がＢ軸周りに旋回されてトレッドパターンの表面高さの変化に忠実に沿うように同時４軸或いは５軸制御により加工される。つまり、各薄板材料片１０２のタイヤのクラウン部を成形する内端面の加工においては、スライス要素ＳＬの表面から裏面に接続する面が表面の座標位置と裏面の座標位置に基づいて厚さ方向の途中の端面位置の補間点の座標が計算され、これら補間点を結ぶ曲面を形成するようにＺ軸移動に関連してＢ軸旋回のトーチ１１３の揺動角が制御される。同様にして、各テーパ付薄板材料片１０２の外端面の加工においては、保持部材１８の内周面局面に対応するように曲面加工される。
【００５１】
このように順次加工されたＮ枚の薄板部材１７を８グループに分け、グループ毎に保持部材１８に密着状態で積層して装着することによりクラウン金型を形成する分割体１８が製造される。この場合、各分割体１８の積層体が形成する内周面には、成形すべきタイヤのトレッドパターンと補合形状の凹凸形状が形成される。換言すれば、薄板部材１７の内端部は、全体としてタイヤに形成すべきトレッドパターンに対し凹凸が補合関係にある逆トレッドパターンが形成され、そして個々の薄板部材１７は、逆トレッドパターンの一部を形成している。
【００５２】
これにより、本実施形態の方法により製造される積層体の表面は、図７（ａ）に示すように、隣接する薄板部材１７のレーザ加工面が連続的な滑らかな加工面となり、よってこのような積層体により加硫成形されるタイヤ表面のトレッドパターンも滑らかな表面に成形できる。これに対し、上述した従来の製造方法による場合では、多数の薄板部材５１７の各々のトレッド成形端面が表裏面と垂直に切断されているので、トレッド成形端面が不連続となり、ごつごつしたトレッド成形端面を呈し、この不連続なトレッド成形端面が加硫成形されるタイヤの表面に転写される。この理由により、本実施形態の製造方法を用いて製造された薄板積層金型は、加硫成形されるタイヤの表面を従来の製造方法を用いて製造された薄板積層金型により加硫成形されるタイヤの表面に比べて滑らかに成形でき、これにより加硫成形後のタイヤに亀裂を生じさせにくい等の特長を備える。
【００５３】
図８及び図９は、上述した第１実施形態の変形例を示すもので、この変形例においては、タイヤのトレッドパターンを成形する各スライス要素ＳＬに対応する薄板部材１７は、左右に２分割されて製作される。これに対応して、薄板部材１７を保持する保持部材１８も左右に２分割されて製作される。すなわち、各スライス要素ＳＬに対応する薄板部材１７は、概ねＬ字状の左右の薄板半部材１７１、１７２として形成され、同様に、保持部材１８は、概ねＬ字状の左右の保持半部材１８１、１８２として形成される。各薄板半部材１７１、１７２は、タイヤ幅方向の外側面に突出部１１７ａが形成され、これら突出部１１７ａが保持半部材１８１、１８２の円弧溝に嵌合された状態で、内方端が円弧状に伸長された断面Ｌ字状の固定板１８１ａ、１８２ａを介してボルト１１８Ｃにより保持半部材１８１、１８２にそれぞれ固定されている。この場合、各薄板半部材１７１、１７２の肩部テーパ面は、保持半部材１８１、１８２のヌスミ空間と対向し、これにより各薄板半部材１７１、１７２は、前記突出部１１７ａと径方向外方の平坦部の２点において対応する保持半部材１８１、１８２に密着固定されている。
【００５４】
また、保持半部材１８１、１８２のヌスミ空間は、排気細穴を介して外部と連通し、加硫成形初期に組み合わせ型内に残ったガス及び発生するガスは、ガス抜き用の溝１７ｇ、排気細穴を通過して排気される。また、保持半部材１８１、１８２は、薄板半部材１７１、１７２の幅方向の内側端面を密着させる状態でスライド部材１９にボルト２２、２２により固定されるが、この場合、保持半部材１８１、１８２の幅方向の内側端面間に中央空間が形成され、この中央空間がスライド部材１９の内面の幅方向中央に形成したヌスミ空間１９ｎ及び排気穴１９ｍを介してスライド部材１９の外周面側の大気に通じており、加硫成形初期に残ったガス及び発生するガスは、溝１７ｇを通って大気に排出するようにしている。
【００５５】
図９は、図８において左側に配置された多数の薄板半部材１７１と保持半部材１８１の組み付け状態を示す斜視図であり、保持半部材１８１及び固定板１８１ａは成形すべきタイヤの外周の略８分割角度の１つに相当する円弧長さを有し、多数の薄板半部材１７１は突出部１１７ａが保持半部材１８１の円弧溝に嵌合され、かつ中央側の溝がＬ字状固定板１８１ａの突出部１８１ｐに嵌合された状態で、複数のボルト１１８ｃにより締め付けられる固定板１８１ａにより保持半部材１８１に定着される様子が示されている。この変形例の場合においても、前述した第１実施形態と同様に、円周方向の各端部における１枚或いは数枚の薄板半部材１７１は、図中ｔにて示すように、保持半部材１８１の端面から突出しており、保持半部材１８１と固定板１８１ａにより直接固定されていないが、これらにより直接固定された端部の１枚或いは数枚の薄板半部材１８１に頭付子螺子１７ｓを用いて固着され、これにより保持半部材１８１と固定板１８１ａに対し間接的に固着されている。
【００５６】
なお、図中１７ｈは、隣接する分割体の端面から突出する子螺子１７ｓの頭部を受け入れる円穴を示し、これにより隣接する２つの分割体の対向端面部の薄板半部材１８１は、互いに他の分割体から突出する子螺子１７ｓの頭部を円穴１７ｈに受け入れることにより、相互に密着できる。また、図８において右側配置された薄板半部材１７２、保持半部材１８２及び固定板１８２ａの組み付け構造は、上述した左側配置の組み付け構造と左右対称で、同一である。
【００５７】
上述した第１実施形態及びその変形例においては、多数の薄板部材１７及び薄板半部材１７１、１７２を全て同一板圧材料で形成しているが、図１０に示すように、円周方向両端部に配置する薄板部材１７ｅ及び薄板半部材１７１ｅ、１７２ｅの板厚を他のものの板厚よりも厚くしてもよい。このようにする場合では、上述した子螺子１７ｓや円穴１７ｈを設けずに、全ての薄板部材１７及び薄板半部材１７１、１７２を保持部材１８及び保持半部材１８１、１８２に対し、直接固定することができ、これにより円周方向に隣接する分割体の対向する薄板部材１７ｅ同士及び薄板半部材１７１ｅ、１７２ｅ同士の密着性を向上でき、さらには、円周方向に隣接する分割体の保持部材１８（１８１、１８２）同士の対向隙間を小さくできる利点が得られる。また、薄板半部材１７１、１７２は、左右対称としたが、片側を大きく、他の片側を小さくしてもよい。
【００５８】
次に、本発明の第２実施形態を図１１及び図１２を参照して説明する。この第２実施形態においては、多数の薄板部材２１７をタイヤの幅方向に積層した状態で、保持部材１８に対し固定板１８ａを介してボルト１８ｃにより固定する組み付け構造が採用される。薄板部材２１７の各々は、例えば、クラウン金型を８つの分割体１６で構成する場合、成形すべきタイヤの外周を８分割した角度範囲に亘る円弧長さを有する。これに対し、保持部材１８は、薄板部材２１７の円周方向の両端縁よりも若干引っ込んだ円弧長さに形成され、成形時に隣接する分割体１６の薄板部材２１７の積層体の円周方向の対向端面が密着できるようにしている。保持部材１８の内周面には、円周方向に離間して複数（図例では３つ）のヌスミ溝１８ｎが薄板部材２１７の積層方向に横断して形成されている。各薄板部材２１７の少なくとも片面には複数本の溝１７ｇが形成され、加硫成形初期に組み合わせ金型内に残ったガス及び発生するガスをヌスミ溝１８ｎへ導き、そこから保持部材１８に形成された排気穴１８ｍへ導き、さらにスライド部材１９の内面の幅方向及び円周方向中央に形成したヌスミ空間１９ｎ及び排気穴１９ｍを介してスライド部材１９の外周面側の大気中に排出するようにしている。
【００５９】
各スライド部材１９は、上述した第１実施形態と同様に、右側ケース１１Ｒに放射方向に平行配置した一対のガイドレール２０に沿ってシリンダ装置２７（図１参照）の動作により放射方向に進退可能であり、半径方向内方の型閉め位置では、薄板部材２１７の積層体の円周方向両端面を隣接する分割体の薄板部材２１７の積層体の対向端面と密着させる。この型閉め位置では、左右のサイドウォール金型１２Ｌ、１２Ｒの内側外周縁部がそれぞれ固定板１８ａ及び保持部材１８とそれぞれ当接し、同時に積層体の幅方向両側の薄板部材２１７の側面と密着して、分割体１６と左右のサイドウォール金型１２Ｌ、１２Ｒが組み合わされて形成される金型内部空間を密閉するようにしている。なお、この第２実施形態の動作は、第１実施形態の動作と実質的に同一であるので、説明を割愛する。
【００６０】
図１３は、第２実施形態の薄板部材２１７の積層体を製造する製造方法を説明する説明図である。この製造方法は、図６に示す第１実施形態における製造方法と略同一であるが、この第１実施形態における製造方法との違いは以下のようである。すなわち、第２実施形態における製造方法の場合、薄板部材２１７が製造すべきタイヤの円周の例えば８分割分の１つの円周長さを持つように円周方向に長いので、コイル巻き素材３００はそのような円周長さをカバーするように幅広のものが使用される。そして、コイル巻き素材３００をアンコイラにより平板に伸ばして適宜切断し、矩形の薄板部材片３０１を製作する。この場合、薄板部材片３０１には、第１実施形態の場合と違って、表裏面にテーパ面を形成せず、表裏面は平行面に維持される。必要があれば、薄板部材片３０１の表裏面を精密冷間圧延処理又は研削加工により加工し、表裏面の平行度を向上させてもよい。
【００６１】
一方、この薄板部材片３０１の製造と並行して、加硫成形すべきタイヤのトレッドパターンＴｐをタイヤの円周方向に薄板部材片３０１の厚さｄの間隔でスライスし、各スライス要素ＳＬの外周面と補合する内周面と、保持部材１８の内周面に整合する外周面と、さらに分割体の円周方向両端面を定義するプロファイル形状をＣＡＤ装置により設計する。この場合、各スライス要素ＳＬの厚さ方向のプロファイルは、内周面及び外周面共にスライス要素ＳＬの表裏面の座標から厚さ方向の中間座標の位置を補間演算処理により算出し、タイヤの幅方向のプロファイルに沿うような局面形状とされる。このように各スライス要素ＳＬの３次元形状データが作成され、このデータをＣＡＭ装置に入力してこのＣＡＭ装置により加工プログラムとしてのＮＣデータを生成し、レーザ加工機１１０に付属のＣＮＣ装置へ転送する。これにより、レーザ加工機１１０は、薄板部材片３０１を各スライス要素ＳＬのプロファイルと同一形状に加工することができる。
【００６２】
各スライス要素ＳＬに対応する多数の薄板部材片３０１を製造し、これら薄板部材片３０１に各スライス要素ＳＬに対応するプロファイルを成形することにより、分割体１６の１つ分の多数の薄板部材２１７を製造でき、この薄板部材２１７を別途製作した保持部材１８に組み付けることにより、分割体１６の１つが製作される。他の分割体１６は、上記の手順により同様にして製造できる。
【００６３】
上記した第２実施形態においては、タイヤの幅方向に積層される薄板部材２１７を全て同一厚さとしたが、保持部材１８及び固定板１８ａと当接するタイヤ幅方向両側の薄板部材を他のものより肉厚を厚くしてもよい。このように、タイヤ幅方向両側の薄板部材を他のものより厚くした場合には、薄板部材の積層体のタイヤ幅方向の両側部が広がるのを防止でき、積層体が形成する型の精度を高精度に維持できる利点が得られる。
【００６４】
上記した各実施形態においては、薄板材料をレーザ加工により加工するようにしたが、これら薄板材料を数値制御ワイヤカット放電加工機或いは数値制御切削工作機械により切削加工して製作するようにしてもよい。
また、上記した各実施形態においては、薄板部材は鉄材或いはスチール材で形成したが、アルミ材、その他の金属材料或いは非金属材料を用いてもよい。
【００６５】
さらに、上記した各実施形態においては、薄板部材の片面にガス抜き用の溝を形成した例を示したが、この溝は、薄板部材の両面に形成してもよく、また積層した薄板部材の全てにガス抜き用の溝を形成する必要はなく、積層された１枚或いは数枚おきの薄板部材にこの溝を形成するようにしてもよい。また、１枚の薄板部材の片面に形成するガス抜き用の溝の数は、図例の３本又は４本に限られず、適宜本数としてもよい。この溝の幅及び深さは、気体を通過させるのに必要な程度の小さなものとされる。この溝の幅及び深さは、タイヤの加硫成形時に溶融ゴムがこの溝に侵入しない程度とすることが望ましい。
【００６６】
また、各分割体１６の円周方向両端面において保持部材１８或いは保持半部材１８１、１８２から突出されかつ子螺子１７ｓにより固定される薄板部材１７或いは薄板半部材１７１、１７２の枚数は、１枚だけでなく数枚としてもよい。
【図面の簡単な説明】
【図１】本発明による第１実施形態におけるタイヤトレッド面成形金型を備えたタイヤ加硫機の要部縦断面図。
【図２】図１に示すタイヤ加硫機の要部側面図。
【図３】第１実施形態におけるタイヤトレッド面成形金型の拡大断面図。
【図４】第１実施形態におけるタイヤトレッド面成形金型の斜視図。
【図５】第１実施形態におけるタイヤトレッド面成形金型の円周方向に隣接する２つの金型の隣接部を拡大して示す断面図。
【図６】第１実施形態におけるタイヤトレッド面成形金型の製造方法を説明するための説明図。
【図７】（ａ）及び（ｂ）は、それぞれ第１実施形態及び従来の薄板材料積層金型における薄板部材間の積層状態を拡大して示す説明図。
【図８】第１実施形態の変形例におけるタイヤトレッド面成形金型の拡大断面図。
【図９】第１実施形態の変形例におけるタイヤトレッド面成形金型の斜視図。
【図１０】第１実施形態及び変形例におけるタイヤトレッド面成形金型の円周方向に隣接する２つの金型の隣接部を拡大して示す断面図。
【図１１】本発明による第２実施形態におけるタイヤトレッド面成形金型の拡大断面図。
【図１２】第２実施形態におけるタイヤトレッド面成形金型の要部拡大横断面図。
【図１３】第２実施形態におけるタイヤトレッド面成形金型の製造方法を説明するための説明図。
【符号の説明】
Ｔ・・・タイヤ、Ｔｒ・・・トレッド面、１０・・・加硫機、１１Ｌ・・・左側ケース、１１Ｒ・・・右側ケース、１２・・・サイド金型、１２Ｌ、１２Ｒ・・・左右のサイドウォール金型、１５・・・金型、１６・・・分割体、１７、２１７・・・薄板部材、１７１、１７２・・・薄板半部材、１７ｅ、１７１ｅ、１７２ｅ・・・両端の薄板部材、１７ａ・・・突出部、１７ｇ・・・ガス抜き用の溝、１７ｓ・・・頭付子螺子、１７ｈ・・・円穴、１８・・・保持部材、１８ａ・・・固定板（固定手段）、１８ｃ・・・ボルト、１８ｎ、１９ｎ・・・ヌスミ空間、１８ｍ、１９ｍ・・・排気穴、１９・・・スライド部材、２０・・・ガイドレール、２１・・・ベアリングブロック、２２・・・ボルト、２５、２９・・・ピン、２６・・・リンク、２７・・・シリンダ装置、２８・・・ピストンロッド、１００、３００・・・コイル巻き薄板材、１０１、３０１・・・薄板部材片、１０２・・・両面テーパ成形した薄板部材片、１１０・・・レーザ加工機、１１１・・・操作筒、１１２・・・ヘッド、１１３・・・レーザトーチ、１１４・・・レーザ発振器、ＣＡＤ・・・ＣＡＤ装置（コンピュータ支援設計装置）、ＣＡＭ・・・ＣＡＭ装置（コンピュータ支援加工プログラム生成装置）、ＣＮＣ・・・ＣＮＣ装置（コンピュータ制御数値制御装置）、Ｔｐ・・・トレッドパターン、ＳＬ・・・スライス要素、ＢＬ・・・ブラダ。
【図１】
2004338182.tif 000003
【図２】
2004338182.tif 000004
【図３】
2004338182.tif 000005
【図４】
2004338182.tif 000006
【図５】
2004338182.tif 000007
【図６】
2004338182.tif 000008
【図７】
2004338182.tif 000009
【図８】
2004338182.tif 000010
【図９】
2004338182.tif 000011
【図１０】
2004338182.tif 000012
【図１１】
2004338182.tif 000013
【図１２】
2004338182.tif 000014
【図１３】
2004338182.tif 000015